(57)【要約】【課題】顧客に何度も渡すことができる名刺及び名刺セットを提供する。【解決手段】表面及び裏面を有し、名刺情報を印刷するための名刺台紙１００と、名刺台紙１００に記載され、配布元団体名称を含む配布元団体名称２と、前記名刺台紙に記載され、前記配布元団体が取り扱う技術を表す関連技術情報１１とを備えた複数の名刺１００−１〜１００−Ｎからなり、各名刺１００−１〜１００−Ｎの表面には異なる季節を表す季節マーク３−１〜３−Ｎが印刷され、かつその裏面には異なる関連技術情報１１が印刷されている。【選択図】    図３
2004330512.tif 000002
【特許請求の範囲】
【請求項１】
表面及び裏面を有する名刺台紙と、
前記名刺台紙に記載され、配布元団体名称を含む配布元団体情報と、
前記名刺台紙に記載され、前記配布元団体が取り扱う技術を表す技術情報と
を具備してなることを特徴とする名刺。
【請求項２】
前記名刺台紙には、さらに配布元団体の問い合わせ先情報が担当毎に複数列挙して記載されてなることを特徴とする請求項１に記載の名刺。
【請求項３】
前記配布元団体の問い合わせ先情報は、配布者の問い合わせ先情報と、前記配布元団体に属する配布者とは別の担当者の問い合わせ先情報を有し、前記担当者の問い合わせ先情報は、配布者に対する関係に基づき記載されてなることを特徴とする請求項２に記載の名刺。
【請求項４】
前記名刺台紙には、さらに伝言メモの記入欄が設けられてなることを特徴とする請求項１に記載の名刺。
【請求項５】
前記配布元団体情報が共通する請求項１乃至４のいずれかに記載の前記名刺を複数備え、前記複数の名刺の各々には、互いに異なる季節を想起させる図像からなる季節マークがそれぞれ記載されていることを特徴とする名刺セット。
【請求項６】
前記名刺セットの名刺の各々は、それぞれ異なる色により着色されていることを特徴とする請求項５に記載の名刺セット。
【請求項７】
前記名刺セットの各々は、それぞれ異なる技術情報が記載されてなることを特徴とする請求項５に記載の名刺セット。
【発明の詳細な説明】
【０００１】
【発明の属する技術分野】
本発明は、より実用的な名刺及び複数の名刺からなる名刺セットに関する。
【０００２】
【従来の技術】
名刺は、会社や担当者を紹介し、顧客にそれら情報を覚えてもらうための媒体である。
【０００３】
従来の名刺は、氏名、住所、会社名、電話番号等の文字が印刷されているだけの必要最小限の情報を記入したものでしかなかった。
【０００４】
【特許文献１】
特開２００２−３２６４７９号公報
【０００５】
【特許文献２】
特開２００１−１２１８５６号公報
【０００６】
【特許文献３】
特開２００３−６３１７５号公報
【０００７】
【発明が解決しようとする課題】
しかしながら、一度名刺交換をしただけで会社や担当者を覚えてもらうことは難しいことが多い。その上、何度も繰り返し名刺を交換することは難しく、同じ名刺を繰り返し配布することとなり無駄なことになる。仮に繰り返し名刺を配布したとしても、そのような名刺は捨てられたり、机の引き出しの中で無くなったりすることが多い。
【０００８】
本発明は上記課題を解決するためになされたもので、その目的とするところは、顧客に何度も渡すことができる名刺及び名刺セットを提供することにある。
【０００９】
【課題を解決するための手段】
本発明は、上記課題を解決するために、以下の手段を採用している。
【００１０】
（１）名刺をシリーズ物にしている。
【００１１】
裏面に技術情報を記載し、毎回見てもらえるようにしている。
【００１２】
（２）色を変えている。
【００１３】
色を変えることによって、毎回違う名刺であることを表現できる。
【００１４】
（３）伝言記入欄を設ける。
【００１５】
表面に伝言記入欄を設けることにより、伝言メモを記入することができる。
【００１６】
（４）季節を表すマーク
季節を表すマーク（図像）などを入れて、季節感を出す。
【００１７】
（５）技術問い合わせなどを並記する。
【００１８】
技術問い合わせ先などを並記することで、名刺差し出し者以外の社内の担当者に直接問い合わせできるようにする。
【００１９】
本発明の一つの観点によれば、表面及び裏面を有する名刺台紙と、前記名刺台紙に記載され、配布元団体名称を含む配布元団体情報と、前記名刺台紙に記載され、前記配布元団体が取り扱う技術を表す技術情報とを具備してなることを特徴とする名刺が提供される。
【００２０】
【発明の実施の形態】
以下、図面を参照しながら本発明の一実施形態を説明する。
【００２１】
図１及び図２は本発明の一実施形態に係る名刺１００の一例を示す図である。図１は名刺１００の台紙の表面１００ａを示す図、図２は名刺の台紙の裏面１００ｂを示す図である。
【００２２】
図１に示すように、例えば９１ｍｍ×５５ｍｍの名刺１００の台紙の表面１００ａには、名刺配布先１、名刺配布元団体名称２、季節マーク３、代表者氏名４及び問い合わせ先ガイド５が記載されている。また、これら名刺配布先１、名刺配布元団体名称２、季節マーク３、代表者氏名４及び問い合わせ先ガイド５の下欄には、伝言メモ記入欄６が、さらにその下欄には問い合わせ先情報７が記載されている。
【００２３】
名刺配布先１は、名刺を配布する相手の企業名称等の配布先の団体を特定する情報である。名刺配布元団体名称２は、名刺の配布者の属する企業等の団体を特定する情報である。季節マーク３は、例えば梅、海、雪だるまなど、名刺受領者に季節を想起させる図像等からなるマークである。代表者氏名４は、配布元企業等の団体の代表者の氏名であり、例えばその配布元企業の代表者の役職等が代表者の属性情報とともに記載される。
【００２４】
問い合わせ先ガイド５は、配布元企業やその代表者に対して問い合わせ先をガイドするためのメッセージであり、例えば図１に示すように、「ご用件は各担当へお願いします。」と記載される。この問い合わせ先ガイド５による問い合わせ先として、問い合わせ先情報７が伝言メモ記入欄６をはさんで下欄に記載されている。問い合わせ先情報７は、具体的には例えば図１に示すように、問い合わせ先住所及び電話番号７ａと、その問い合わせ先の各担当者情報７ｂ〜７ｅからなる。問い合わせ先の各担当者情報７ｂ〜７ｅはそれぞれ担当者の担当、氏名、役職、電話番号、メールアドレスなどからなる。
【００２５】
担当者情報７ｂ〜７ｅの担当の欄には、例えば配布元の担当者を担当者情報７ｄの技術担当とすると、その技術担当に対する関係を示す担当名を記載するのが望ましい。例えば担当者情報７ｂの担当は、営業統括上司となっており、配布者である担当者情報７ｄに記載された担当者に対して上司に相当する者であることが受領者に即座に分かる。
【００２６】
伝言メモ記入欄６は、所定の領域が空白となっている欄であり、名刺受領者が伝言メモを自由に記入できるようになっている。
【００２７】
図２に示すように、名刺１００の台紙の裏面１００ｂには、関連技術情報１１が記載されている。関連技術情報１１とは、配布元企業、あるいはその名刺を配布する担当者の業務に関連する技術情報を指す。図２の例では、関連技術情報１１として、配布元企業が取り扱うインバータに関する技術が記載されている。
【００２８】
図３は上記図１及び図２に示す名刺をシリーズ化した名刺セット２００の一例を示す図である。図３に示すように、名刺セット２００は複数の名刺１００−１〜１００−Ｎからなる。
【００２９】
各名刺１００−１〜１００−Ｎの表面にはそれぞれ異なる季節マーク３−１〜３−Ｎが印刷されている。一例として、季節マーク３−１は春を表す梅の図像を、季節マーク３−２は夏を表す海の図像を、季節マーク３−Ｎは冬を表す雪だるまの図像を示している。もちろん、季節を細分化してより複数の種類の図像を印刷してもよい。
【００３０】
各名刺１００−１〜１００−Ｎの裏面にはそれぞれ異なる関連技術情報１１−１〜１１−Ｎが印刷されている。一例として、関連技術情報１１−１はインバータに関する技術情報を、関連技術情報１１−２は大型電子負荷装置に関する技術情報を、関連技術情報１１−Ｎはモータ評価用周波数変換器に関する技術情報を示している。これらは、配布元企業である○○電機株式会社の提供する商品等に関連する技術情報である。
【００３１】
なお、これら季節マーク３−１〜３−Ｎ、関連技術情報１１−１〜１１−Ｎ以外の名刺配布先１、名刺配布元団体名称２、代表者氏名４、問い合わせ先ガイド５、伝言メモ記入欄６、問い合わせ先情報７については、各名刺１００−１〜１００−Ｎのいずれにも同じ内容が記載されているが、それぞれ異なる色で着色されている。具体的には、例えば名刺１００−１は赤色、名刺１００−２は青色、名刺１００−Ｎは黄色に各情報が着色されていてもよいし、各情報は同一色（例えば黒色）で、名刺１００の台紙自体をこれら異なる色で着色したものでもよい。いずれにしても、ある名刺が他の名刺と異なる色であることが視覚的に認識される構成であればよい。
【００３２】
例えば、はじめて会社及び担当者を紹介する場合で春に配布する場合には春を想起させる梅のマークが印刷された名刺１００−１を、次に夏に再度同一配布先に配布する場合には夏を想起させる海のマークが印刷された名刺１００−２を、冬に同一配布先に配布する場合には冬を想起させる雪だるまのマークが印刷された名刺１００−Ｎを配布するというように、名刺セットを季節に応じて配布することで、その都度新鮮な印象を持つ名刺を受領者は受け取ることができる。また、受領した名刺１００を保存する場合にも、季節マーク３を確認することにより、名刺１００を受領した時の印象をその受領した季節に関連づけて思い出すことができる。
【００３３】
さらに、裏面には異なる関連技術情報がそれぞれ印刷されているため、受領者は新たな名刺を受領する都度異なる関連技術情報を知ることができる。もちろん配布元企業に関連する技術を詳細に知ってもらうことができるため、営業活動を補助するアイテムとしても利用可能である。
【００３４】
以上詳述したように本実施形態によれば、問い合わせ先を複数列挙して記載することにより、名刺を配布した担当者のみならず、名刺配布元企業の概要を伝え、また問い合わせ事項に応じた適切な問い合わせが可能となる。従って、名刺配布元企業に名刺配布先から問い合わせがあった場合にも、記載された問い合わせ先の各担当に直接コンタクト可能であるため、名刺を配布した担当者からの適切な問い合わせ先への連絡作業が不要となる。
【００３５】
また、配布元企業の担当者が複数列挙されていることにより、複数の問い合わせ先を覚えてもらうことができるため、列挙された担当者数分の名刺を配布したのと同様の効果を得ることができる。
【００３６】
しかも、各担当者を、実際に名刺を配布した担当者に関連した情報で紐付けておくことで、単に関連する担当者を列挙した場合とは異なり、配布した担当者に関する情報を中心に他の関連する問い合わせ先の担当者に関する情報を覚えることができるので、複数の担当者であっても受領した者は忘れにくいという効果を有する。また、名刺を受領した者は、複数の担当者が記載されていることで、配布元企業に関する情報を多く得ることができ、配布元企業に対する安心感が増す。
【００３７】
また、例えば季節マーク３や関連技術情報１１、各情報を記載する文字や図像等の着色、名刺台紙の着色などを変えて他の情報を共通にした複数の名刺からなる名刺セットにより名刺をシリーズ化することにより、受領者は何度もらっても飽きず、かつその都度有用であるため、特定の担当者に対して何度も渡すことができる名刺となり、効果的に使用できる。
【００３８】
さらに、伝言メモ記入欄６を設けることにより、伝言メモや、名刺を受領した際の印象、打合せの内容等を気軽に記入することができる。
【００３９】
本発明は上記実施形態に限定されるものではない。
【００４０】
上記実施形態では企業に属する担当者が配布する名刺について説明したが、企業以外の団体に属する担当者が配布する名刺にも適用できることはもちろんである。この場合、企業に関する情報に代えて団体に関する情報が記載される。また、企業にも他の団体にも属さない個人が使用する名刺としても用いることができることはもちろんである。
【００４１】
また、各情報は表面及び裏面の各々のいずれに記載されていてもよい。一例としては、伝言メモ記入欄６及び問い合わせ先情報７を裏面に、関連技術情報１１を表面に記載するようにしてもよい。
【００４２】
また、技術との関連の薄い団体がこの名刺を利用する場合、関連技術情報１１の代わりに配布元団体の提供する商品やサービスに関する関連商品／サービス情報を記載してもよい。
【００４３】
また、図１や図２に示した各情報のすべてが記載されている必要はない。例えば名刺配布先１の記載を省略することで、あらゆる配布先を対象とした名刺として利用することが可能となる。また、代表者氏名４の記載欄に配布者氏名を記載してもよい。また、名刺サイズは記入する情報等に応じて種々変更可能である。
【００４４】
【発明の効果】
以上詳述したように本発明によれば、顧客に何度も渡すことができる名刺及び名刺セットが提供される。
【図面の簡単な説明】
【図１】本発明の一実施形態に係る名刺の構成の一例を示す図。
【図２】同実施形態に係る名刺の構成の一例を示す図。
【図３】同実施形態に係る名刺セットの構成の一例を示す図。
【符号の説明】
１…名刺配布先、２…名刺配布元団体名称、３…季節マーク、４…代表者氏名、５…問い合わせ先ガイド、６…伝言メモ記入欄、７…問い合わせ先情報、１１…関連技術情報、１００…名刺、１００ａ…表面、１００ｂ…裏面
【図１】
2004330512.tif 000003
【図２】
2004330512.tif 000004
【図３】
2004330512.tif 000005